(57)【特許請求の範囲】
【請求項１】
タオル本体と、上記タオル本体にこのタオル本体の長手方向一端部から長手方向他端部にわたって設けられた折り曲げ自在な挿通部と、上記挿通部に所定間隔をあけて設けられた一対の穴と、上記挿通部にスライド自在に挿通されているとともに上記両穴の間では上記タオル本体の外部に飛び出している紐状体とを備え、上記紐状体の一端部が上記タオル本体の長手方向一端部と上記挿通部の長手方向一端部の少なくとも一方に固定され、上記紐状体の他端部が上記挿通部の長手方向他端部から上記挿通部内へ進入するのを阻止するストッパーが設けられていることを特徴とするタオル。
【請求項２】
上記紐状体の他端部が上記挿通部の長手方向他端部から外方に延び、この外方に延びる紐状体の部分にリング体が固定されている請求項１記載のタオル。
【請求項３】
上記紐状体の他端部が上記挿通部の長手方向他端部から外方に延び、この外方に延びる紐状体の部分にスライド体がスライド自在に取り付けられている請求項１記載のタオル。
【発明の詳細な説明】
【０００１】
【発明の属する技術分野】
本発明は、タオルに関するものである。
【０００２】
【従来の技術】
従来から、背中，脚等の体を洗うためのボディタオル，湯上がり用のバスタオル等の各種タオルには、その使い勝手を良くするために、種々の工夫を施したものがある。例えば、実用新案登録第３０１２６００号公報には、多用途利用を可能にした紐つきタオルが提案されている。この紐つきタオルは、図７に示すように、タオル２１の長手方向に沿う両側縁部分を折り返して縫い付け、この縫い付けにより作製された両細袋２２に紐２３をスライド自在に挿入するとともに、これら両紐２３の両端部分を細袋２２の両端開口部から突出させ、この突出部分を上記細袋２２の直径より大きな止め具２４に通し、これに上記突出部分の先端を結び付けるようにしている。この紐つきタオルの使用例の１つは、図８に示すように、これを人の肩にかけ、一方（人の首に近い側）の紐２３の両端部分を前側に引き出し、人の首に巻き付けて結ぶことにより、この紐つきタオルを人の首に固定した状態で人の肩に掛けることができるようにしたものである。また、この紐つきタオルを頭部に巻き付けたり、枕に巻き付けたりして、使用することもできる。
【０００３】
【発明が解決しようとする課題】
しかしながら、この紐つきタオルでは、１本の紐２３に対し２個の止め具２４が必要になり、部品点数が多く、構造が複雑で、高価になる。しかも、各細袋２２に挿通した紐２３がタオル２１の長手方向に沿ってスライド移動するため、紐２３に取り付けた両止め具２４の一方が細袋２２から大きく飛び出し、背中等を洗っているときに、上記突出した一方の止め具２４が大きく揺動して人体等に当たることがあり、危険である。さらに、タオル２１の長手方向に沿う一側縁部分を縮める場合には、上記一側縁部分に形成された細袋２２から紐２３を引き出して細袋２２の一端部分を他端部分に近づけなければならず、紐２３を引き出す距離が長くなる。このため、両手（すなわち、細袋２２の一端部分を持つ手と紐２３の一端部分を持つ手）を大きく広げる必要があり、手間がかかる。また、この引き出しの際に細袋２２の一端部分が紐２３にこすれている時間が長く、細袋２２の一端部分，紐２３が早期に破損する。
【０００４】
本発明は、このような事情に鑑みなされたもので、部品点数が少なく、構造が簡単で、安価であり、しかも危険が少なく、早期に破損することのないタオルの提供をその目的とする。
【０００５】
【課題を解決するための手段】
上記の目的を達成するため、本発明のタオルは、タオル本体と、上記タオル本体にこのタオル本体の長手方向一端部から長手方向他端部にわたって設けられた折り曲げ自在な挿通部と、上記挿通部に所定間隔をあけて設けられた一対の穴と、上記挿通部にスライド自在に挿通されているとともに上記両穴の間では上記タオル本体の外部に飛び出している紐状体とを備え、上記紐状体の一端部が上記タオル本体の長手方向一端部と上記挿通部の長手方向一端部の少なくとも一方に固定され、上記紐状体の他端部が上記挿通部の長手方向他端部から上記挿通部内へ進入するのを阻止するストッパーが設けられているという構成をとる。
【０００６】
すなわち、本発明のタオルは、タオル本体と、上記タオル本体にこのタオル本体の長手方向一端部から長手方向他端部にわたって設けられた折り曲げ自在な挿通部と、上記挿通部に所定間隔をあけて設けられた一対の穴と、上記挿通部にスライド自在に挿通されているとともに上記両穴の間では上記タオル本体の外部に飛び出している紐状体とを備えている。そして、上記紐状体の一端部が上記タオル本体の長手方向一端部と上記挿通部の長手方向一端部の少なくとも一方に固定されており、上記紐状体の他端部が上記挿通部の長手方向他端部から上記挿通部内へ進入するのを阻止するストッパーが設けられている。したがって、一方の手指で、上記両穴の間でタオル本体の外部に飛び出している紐状体の部分を持ち、他方の手指で上記両穴近傍のタオル本体の部分を持ち、その状態で紐状体を引っ張って挿通部から引き出すことにより、タオル本体を縮めてボール状にすることができる。
【０００７】
このように、タオル本体を縮めてボール状にした場合には、これで両脚，両腕等を洗ったり、これを湯や水に濡らして石鹸を付けたりするのに適している。一方、背中等を洗う場合には、タオル本体を縮めた状態から元の長さに戻すことを行う。すなわち、一方の手指でタオル本体の長手方向一端部を持ち、他方の手指でタオル本体の長手方向他端部を持ち、その状態で両方の手指が離れる方向に両者を引っ張り、元の長さに戻す。なお、本発明において、挿通部のうち、両穴で挟まれる部分は、紐状体を挿通することができない構造になっていてもよい。また、ストッパーは、タオル本体と挿通部と紐状体のいずれに設けられていてもよい。
【０００８】
上記のように、本発明のタオルは、紐状体に対して１つのストッパーを設けているだけであり、部品点数が少なく、構造が簡単で、安価である。しかも、紐状体の一端部がタオル本体の長手方向一端部と挿通部の長手方向一端部の少なくとも一方に固定されているため、ストッパーが挿通部の長手方向他端部から大きく飛び出すことがなく、背中等を洗っているときにストッパーが大きく揺動して人体等に当たることも殆どなくなり、危険が少ない。さらに、上記両穴の間でタオル本体の外部に飛び出している紐状体の部分を引き出すことにより、タオル本体を縮めることができるため、紐状体を引き出す距離が短くなり、タオル本体を縮めるのに手間がかからないうえ、タオル本体や挿通部が紐状体にこすれている時間も短くなり、タオル本体，挿通部および紐状体の耐久性が向上する。
【０００９】
本発明において、上記紐状体の他端部が上記挿通部の長手方向他端部から外方に延び、この外方に延びる紐状体の部分にリング体が固定されている場合には、リング体を吊り下げ手段として利用することができるうえ、リング体を挿通部の内部に挿通できない大きさとすることにより、リング体をストッパーとしても利用することができる。また、リング体を挿通部の内部に挿通できる大きさとする場合にも、リング体の外周面と挿通部の内周面との抵抗を利用すると、ストッパーとしても利用することができる。
【００１０】
本発明において、上記紐状体の他端部が上記挿通部の長手方向他端部から外方に延び、この外方に延びる紐状体の部分にスライド体がスライド自在に取り付けられている場合には、スライド体を挿通部の内部に挿通できない大きさとすることにより、スライド体をストッパーとして利用することができる。また、スライド体を挿通部の内部に挿通できる大きさとすることにより、スライド体を挿通部内にスライドさせて所望位置に位置決めし、その状態でタオル本体を背中等に当ててスライド体で背中等にあるつぼを押圧することができるため、指圧効果が得られる。しかも、スライド体の外周面と挿通部の内周面との抵抗を利用すると、ストッパーとしても利用することができる。
【００１１】
【発明の実施の形態】
つぎに、本発明の実施の形態を図面にもとづいて詳しく説明する。
【００１２】
図１は本発明のタオルの一実施の形態を示している。この実施の形態では、タオルはボディタオルである。図において、１は略長方形状に形成された（この実施の形態では、左右幅が前後幅より長く形成された）綿製のタオル本体である。２は紐挿通部（挿通部）である。この紐挿通部２は、タオル本体１を中央部から２つ折り状に折り重ねたのち、この折り重ねたタオル本体１の前後方向中央部に左右方向に沿って一対の縫い目３，３を平行に形成することにより、上記両縫い目３，３間に形成される隙間として作製されたものである。この紐挿通部２に対応するタオル本体１の部分には、その左右方向中央部に一対の穴４，４が設けられている。図において、４ａは上記穴４に設けた鳩目である。
【００１３】
５はナイロン製紐（紐状体）であり、その右端部がタオル本体１の右縁部に縫い付けられており、その左端部が紐挿通部２の左端開口部から外部に飛び出している。また、この紐５は、上記両穴４，４間で紐挿通部２の外部に飛び出している。
【００１４】
６はポリプロピレン樹脂製球体からなる玉（スライド体）であり、中央に穿設された貫通孔６ａ（図３参照）に上記紐５がスライド自在に挿通されている。また、この玉６は上記紐挿通部２内をスライド自在に挿通しうる大きさに形成されており、これにより、上記紐挿通部２内で玉６をスライド移動させて所望位置に位置決めすることができる。７は円環状に形成されたポリプロピレン樹脂製リング体（ストッパー）であり、上記紐５の左端部が結び付けられている。このリング体７は、上記紐挿通部２の内径より大きく形成されている。
【００１５】
上記構成において、ボディタオルを縮める場合には、一方の手指で上記両穴４，４から飛び出している紐５を持ち、他方の手指で上記両穴４，４近傍のタオル本体１を持ち、その状態で一方の手指により紐５を手前に引っ張って紐挿通部２外に引き出すことを行う。これにより、紐５が紐挿通部２外に引き出され、タオル本体１が縮みボール状となる（図２参照）。この状態でタオル本体１を湯や水に濡らし、タオル本体１に石鹸を付けると、石鹸が泡立ちやすく、タオル本体１全体に石鹸を付けやすくなる。そののち、このボディタオルで両腕，両脚等を洗う。また、石鹸を付けたのち、もしくは、両腕，両脚等を洗ったのちに背中等を洗う場合には、一方の手指でタオル本体１の右端部を持ち、他方の手指でタオル本体１の左端部を持ち、その状態で両方の手指を反対側に引っ張ってタオル本体１を元の長さに戻す。そののち、このタオル本体１で背中等を洗う。一方、ボディタオルで指圧等をする場合には、玉６を紐挿通部２内にスライドさせて所望位置に位置決めしたのち、タオル本体１を背中等に当てて玉６でつぼ等を押圧することを行う。これにより、指圧効果が得られ、血行が良くなる。
【００１６】
このように、上記実施の形態では、タオル本体１を伸ばした状態でも、タオル本体１を縮めた状態でも使用することができる。しかも、タオル本体１に１つの紐挿通部２を設け、この紐挿通部２の右端部に、１つのリング体７を取り付けた紐５を固定しているため、部品点数が少なく、構造が簡単で、安価である。しかも、紐５の左端部側にだけ玉６，リング体７を設けているため、背中等を洗う際に玉６が人体等に当たる危険が少ない。さらに、タオル本体１の左右方向中央部から紐５を引き出しているため、タオル本体１を縮める際に紐５を引き出す距離が短くなる。さらに、玉６を紐挿通部２内の所望位置にスライド移動させ、その状態でタオル本体１を背中等に押し当てることにより、指圧効果を奏する。さらに、ボディタオルを干す場合に、リング体７を他物に引っ掛けてタオル本体１を吊り下げることができ、便利である。
【００１７】
図３は本発明のタオルの他の実施の形態を示している。この実施の形態では、タオル本体１の前後両側縁の一方（図面では、後側縁）から略１／４前後幅だけ内側に入った部分に白綿，麻，ナイロン等からなる帯状体１０を位置決めし、その位置で帯状体１０の前後両側縁部および右側縁部をタオル本体１に縫い付けることにより、紐挿通部１１を形成している。このものでは、上記帯状体１０に一対の穴１２，１２をあけている。この実施の形態では、背中等を洗う場合には、図４に示すように、タオル本体１を中央部から２つ折り状に折り重ねる。図３において、６ａは玉６に穿設した紐５用の挿通穴であり、１３は帯状体１０をタオル本体１に縫い付けた縫い目である。それ以外の部分は上記実施の形態と同様であり、同様の部分には同じ符号を付している。この実施の形態でも、上記実施の形態と同様の作用・効果を奏する。
【００１８】
図５は本発明のタオルのさらに他の実施の形態を示している。この実施の形態では、図１に示す実施の形態において、ストッパーとして、紐挿通部２の内径より大きな玉１５を用いている。したがって、この実施の形態では、リング体７を用いていない。それ以外の部分は図１に示す実施の形態と同様であり、同様の部分には同じ符号を付している。この実施の形態でも、上記実施の形態と同様の作用・効果を奏する。
【００１９】
図６は本発明のタオルのさらに他の実施の形態を示している。この実施の形態では、図１に示す実施の形態において、紐挿通部２が上記両穴４，４間で途切れており、右側紐挿通部１６と左側紐挿通部１７に分かれている。それ以外の部分は図１に示す実施の形態と同様であり、同様の部分には同じ符号を付している。この実施の形態でも、上記実施の形態と同様の作用・効果を奏する。
【００２０】
【実施例】
図１に示す実施の形態において、タオル本体１の前後幅を１３０ｍｍに、左右幅を１０００ｍｍに、紐挿通部２の前後幅を２０ｍｍに、両穴４，４間の距離を４０ｍｍにそれぞれ設定している。また、玉６の径を１０ｍｍに、リング体７の穴径を３０ｍｍにそれぞれ設定している。
【００２１】
なお、上記各実施の形態において、紐５に、玉６を着脱自在に係合する係合部を形成することができる。このものでは、上記係合部に玉６を係合，固定することができる。また、図１，図３および図６に示す実施の形態において、玉６を設けなくてもよい。また、タオル本体１としてメッシュタオルを用いてもよい。また、紐挿通部２として筒状のものを用い、これをタオル本体１に縫い付けるようにしてもよい。
【００２２】
【発明の効果】
以上のように、本発明のタオルによれば、紐状体に対して１つのストッパーを設けているだけであり、部品点数が少なく、構造が簡単で、安価である。しかも、紐状体の一端部がタオル本体の長手方向一端部と挿通部の長手方向一端部の少なくとも一方に固定されているため、ストッパーが挿通部の長手方向他端部から大きく飛び出すことがなく、背中等を洗っているときにストッパーが大きく揺動して人体等に当たることも殆どなくなり、危険が少ない。さらに、上記両穴の間でタオル本体の外部に飛び出している紐状体の部分を引き出すことにより、タオル本体を縮めることができるため、紐状体を引き出す距離が短くなり、タオル本体を縮めるのに手間がかからないうえ、タオル本体や挿通部が紐状体にこすれている時間も短くなり、タオル本体，挿通部および紐状体の耐久性が向上する。
【００２３】
本発明において、上記紐状体の他端部が上記挿通部の長手方向他端部から外方に延び、この外方に延びる紐状体の部分にリング体が固定されている場合には、リング体を吊り下げ手段として利用することができるうえ、リング体を挿通部の内部に挿通できない大きさとすることにより、リング体をストッパーとしても利用することができる。また、リング体を挿通部の内部に挿通できる大きさとする場合にも、リング体の外周面と挿通部の内周面との抵抗を利用すると、ストッパーとしても利用することができる。
【００２４】
本発明において、上記紐状体の他端部が上記挿通部の長手方向他端部から外方に延び、この外方に延びる紐状体の部分にスライド体がスライド自在に取り付けられている場合には、スライド体を挿通部の内部に挿通できない大きさとすることにより、スライド体をストッパーとして利用することができる。また、スライド体を挿通部の内部に挿通できる大きさとすることにより、スライド体を挿通部内にスライドさせて所望位置に位置決めし、その状態でタオル本体を背中等に当ててスライド体で背中等にあるつぼを押圧することができるため、指圧効果が得られる。しかも、スライド体の外周面と挿通部の内周面との抵抗を利用すると、ストッパーとしても利用することができる。
【図面の簡単な説明】
【図１】本発明のタオルの一実施の形態を示す説明図である。
【図２】上記タオルの作用を示す説明図である。
【図３】本発明のタオルの他の実施の形態を示す説明図である。
【図４】上記タオルを２つ折りにした状態を示す説明図である。
【図５】本発明のタオルのさらに他の実施の形態を示す説明図である。
【図６】本発明のタオルのさらに他の実施の形態を示す説明図である。
【図７】従来例を示す斜視図である。
【図８】従来例の使用例を示す説明図である。
【符号の説明】
１  タオル本体
２  紐挿通部
４  穴
５  紐
７  ストッパー
【図１】
0004327941.tif 000002
【図２】
0004327941.tif 000003
【図３】
0004327941.tif 000004
【図４】
0004327941.tif 000005
【図５】
0004327941.tif 000006
【図６】
0004327941.tif 000007
【図７】
0004327941.tif 000008
【図８】
0004327941.tif 000009